Podtech/llm-jp-corpus-v4-ja_patent huggingface dataset:
(57)【要約】      （修正有）【課題】琴演奏者が琴の絃を弾くとき指に装着する琴爪リングの内側に口の開いた爪袋を作り爪片を利用者が簡単に上手に固着できるような琴爪リングを提供する。【解決手段】芯材４を内包せる熱収縮チューブ１の一部に爪片７を差し込める切り込み２を施しそこに爪型を差し込んで熱処理を施し爪袋６を形成させ、両端をリング状に突き合わせ、そこに連結用チューブ５を被せ熱処理を施し琴爪リングとなす。【選択図】図４
0003195554.tif 000002
【実用新案登録請求の範囲】
【請求項１】
芯材を内包せる熱収縮チューブの一部に切り込みを付け爪型を用い熱処理し琴爪の爪片を収納しうる袋を形成し、その袋部を内側にして両端をリング状に突き合わせ、合わせ目に連結用熱収縮チューブを被せ熱処理したことを特徴とする琴爪リング。
【考案の詳細な説明】
【技術分野】
【０００１】  本考案は琴演奏者が右手の親指、人指し指、中指に装着する琴爪の爪片を固着する琴爪リング（以後リングと称す）に関するものである。
【背景技術】
【０００２】  従来のリングは皮（主に猫皮）を二つ折りにし、その間に数枚の紙を糊付け（糊が乾けば固くなりそのまま芯材となる）し両端を糸で縫い付けてリングとしている。
【特許文献１】  特開２００２−４１０３１号  公報
【考案が解決しようとする課題】
【０００３】  従来のリングに琴爪の爪片（以後爪片と称す）を固着するには、糊付けされている合わせ目を爪片の巾の分だけを先の尖った金物で剥がし、袋状に広げ、その中に糊を入れ爪片を差し込み剥がした部分を塞ぐときにその面に皺が出来ないようにするなど、利用者が自分で上手に作業するには難しさがあり業者に依頼することもあり、経費が掛かることになり、又、リングの両端を糸で縫い付けているため使用頻度で糸が緩んだり切れたりすると使用不能になり、又、リングを作るにもかなりの熟練が必要であり、材料の皮も動物愛護の観点から入手が困難になりつつあるのが現状である。
【０００４】  特許公開２００２−４１０３１号  公報  のベルト式琴爪においては、リングの内径を無段階に長さを調節可能にしているために、小内径のリングにベルトの長さを調節するとベルトが余ることになりその部分をふらつかせないようにするためにマグネットを使用していて、長さ調節具、マグネット、小内径のリングには余分なベルト部分などが必要となり、従来のリングより経費がかかることになり、又、それらがリングの外側に付いているため見た目にもスッキリしていないなど、特に女性の利用者は見た目を非常に気にするものであり、又、爪片を入れるポケットの具体的な作成方法については記載がない。
【課題を解決するための手段】
【０００５】  本考案は上記課題を達成するために、芯材として軽金属板と熱による収縮性の強い熱収縮チューブ（以後チューブと称す）を用い、チューブに芯材を内包させ、爪片の巾の寸法の分だけの切り込みを施し、そこに爪片に模した爪型を差し込み熱処理を施し、両端を突き合わせ、合わせ目に連結用のチューブを被せ熱処理を施すことでリングを作ることができ課題を解決している。
【考案の効果】
【０００６】  前期状況で熱をさました後に爪型を抜き取ると爪片を差し込める口の開いた袋が形成されて、そのまま糊と爪片を挿入することが出来、又、爪型を使って形成されているためその表面には皺は出来えないし、リング状にするのに糸で縫い付けていないので緩んだり切れたりする心配もないので、利用者が簡単に上手にリングに爪片を固着する事が出来る。
【０００７】  リングの外側に長さ調節具なども付けていないので見た目もスッキリして、芯材も工業製品であるため動物愛護とも関係ない。
【図面の簡単な説明】
【０００８】
【図１】チューブ１に切り込み２を施した斜視図である。
【図２】チューブ１に爪型３と芯材４を差し込んだ斜視図である。
【図３】爪型３を抜き取り爪袋６の形成とチューブ１と芯材４の密着を示す斜視図である。
【図４】チューブ１の両端を突き合わせ目に連結用チューブ５を被せ爪袋６に爪片７を差し込んだ斜視図である。
【考案を実施するための形態】
【０００９】  所定の長さにしたチューブに同じ長さの芯材を内包させ、爪片の巾の寸法の分だけを片面の中心より振り分け、切り込みを施し爪型を差し込んである。チューブの片端より連結用のチューブを通しておき、チューブの両端を突き合わせて、合わせ目に連結用チューブを移動させ熱処理を施すことでリングが完成される。
【実施例】
【００１０】  以下、添付図に従って考案の実施例を説明する。（図１）の１は所定の長さにした熱収縮チューブであり、高温に熱することにより、柔らかになり、急激に収縮する特性をもつ合成樹脂であり、２はチューブの片面、長さの中心より爪片の巾の寸法を振り分けた切り込みである。【００１１】  （図２）の３は爪片７に模した爪型であり、切り込み２に差し込み爪袋６を形成させる元になるものであり４は軽金属の芯材で軽金属であるため柔軟性があり熱にも強く熱処理を施すことでチューブは柔らかくなり爪型３の形どうりに変形する。【００１２】  （図３）は、前記の処置の後の状況を示した図であり、爪型３を抜き取り爪袋６が形成されており、その表面には一切の皺は出来ようがなく滑らかであり、芯材４はチューブ１の内面に密着している。【００１３】  （図４）は、前記の処置の後に両端を突き合わせ、その合わせ目に連結用チューブ５を被せ熱処理を施し完全にリング状となし爪袋６に爪片７を固着した図である。
【符号の説明】
【００１４】１  チューブ
２  切り込み
３  爪型
４  芯材
５  連結用チューブ
６  爪袋
７  爪片
【図１】
0003195554.tif 000003
【図２】
0003195554.tif 000004
【図３】
0003195554.tif 000005
【図４】
0003195554.tif 000006
(57)【要約】      （修正有）【課題】印鑑をまっすぐに押せるようにする。【解決手段】印鑑本体１の文字に対し、真下および水平方向を示すマーク２、３を付け印鑑をまっすぐ押せるようにしたことを特徴とする。【選択図】図１
0003195560.tif 000002
【実用新案登録請求の範囲】
【請求項１】
印鑑本体に文字に対し真下および水平方向を示すマークを付け、まっすぐ押印することを容易にすることを特徴とした印鑑
【考案の詳細な説明】
【技術分野】
【０００１】  本考案は印鑑をまっすぐに押すための目印を付けた印鑑に関するものである
【背景技術】
【０００２】  印鑑を押す際に文字が傾いて押されることがある。
【先行技術文献】
【特許文献】
【０００３】
【特許文献１】実用新案第３０７１９４２号
【考案の概要】
【考案が解決しようとする課題】
【０００４】  印鑑を押すとき文字が傾いて押されることがある。一般的な印鑑には上方向を示す窪み、突起または印刷等が施されているが、それらは押す前に確認するものであり、押す際には見えない。窪みや突起による触覚に頼ってまっすぐに押そうとするが斜めに押されることも多い。
【課題を解決するための手段】
【０００５】  本考案の実施図を図１に示す。
１の印鑑本体に、文字に対し真下に３の下部目印を、水平方向に２の水平方向目印を左右計二個所に付けることにより容易に印鑑をまっすぐに押せるようにした。
下の一箇所のマークだけでは押印の際に、手の陰になり、見えずらい場合がある。水平方向に左右二箇所の目印を付けることにより、上記の死角となる問題を解決し、また右、左利きの別なく使えるようにした。
【考案の効果】
【０００６】  これにより印鑑を押す際、印鑑の上下、水平方向を視覚的に認識しながら押せるようになり、まっすぐ押すことを容易にした。
【図面の簡単な説明】
【０００７】
【図１】  本考案の印鑑の実施例を示す斜視図である。
【考案を実施するための形態】
【０００８】  一般的な印鑑には文字上部を示す窪みや突起または印刷等が施されているので、本考案はそれらと併用することも可能である。印鑑本体の色はさまざまであるので、目印は視覚的に認識しやすいものとする。
【符号の説明】
【０００９】  １  印鑑本体
２  水平方向目印
３  下部目印
【図１】
0003195560.tif 000003
(57)【要約】      （修正有）【課題】へら鮒釣りの釣り糸の仕掛けを巻き取る場合に、巻き取った針先が手に刺さることがなく、針先を傷つけることがなく、釣り針の取り付け取り外しを容易にし、糸がゆるんでも釣り針を固定した状態に保つことができる、へら鮒釣りの仕掛け巻きの本体を提供する。【解決手段】釣り糸の仕掛けを巻き取る、縦長の板状の弾力性材料からなる本体１に、長辺に対して横断的に、板の表面に任意の形の断面の溝２を任意箇所に任意数設け、溝２の中に針先を入れて刺すことにより、針先を傷つけることがなく、釣り針の取り付け、取り外しが容易にでき、糸がゆるんでも釣り針を固定した状態に保つことができることを特徴とする。【選択図】図２
0003195553.tif 000002
【実用新案登録請求の範囲】
【請求項１】
縦長の板状の弾力性材料からなる本体１に、長辺に対して横断的に、板の表面に任意の形の断面の溝２を任意の箇所に任意の数設け、溝２の中へ針先を入れて刺すことにより、釣り針の針先を傷つけることがなく、釣り針の取り外しを容易にし、糸がゆるんでも釣り針を固定した状態に保つことができる、へら鮒釣りの仕掛け巻きの本体１。
【請求項２】
請求項１の本体１を、それぞれ溝２を縦方向に任意の間隔でずらして、本体１の側面を接合してあわせた、へら鮒釣りの仕掛け巻きの本体１。
【考案の詳細な説明】
【考案の開示】
【考案が解決しようとする課題】
【０００１】上針と下針の２つの釣り針をセットして釣りをおこなうへら鮒釣りの、釣り糸の仕掛けを巻きとる場合は、これまでの仕掛け巻きは、長方形の本体に最初に下針を引っ掛け、続いて上針を引っ掛け、続いてハリス、おもり、道糸、ウキ止めの順に糸を巻きとるのであるが、特に上針を引っ掛ける時に、不便を感じていた。
長方形の仕掛け巻きはいくつかのタイプが販売されているが、釣り針を引っ掛ける部分が金属でできていて穴が設けてありその穴に針先部分を引っ掛ける仕掛け巻きの場合は、微妙なタッチの釣り針の針先が針先を金属の穴に引っ掛ける時に針先が金属に接触し傷がついてしまうことがあり、また、針先が固定されていないため糸がゆるむと針が外れてしまうことがあった。また、針を引っ掛ける部分が弾力性材料からなる板状のものもあるが、この場合は下針を板の片方の端に引っ掛けて、上針を板状の表面に引っ掛けることになるが、上針の場合に針先の曲がり部分と板状の平面とが平行に近くなり針先を板状の表面に引っ掛けにくく取り外しに不便であった。また、本体が弾力性材料からなる板状の一部に数箇所の穴があけてあるものは、針をその穴に引っ掛けるようになっているが、穴の中に針を引っ掛けることや取り外しに不便を感じていた。また、本体が梯子状のものもあるが、この場合は針を引っ掛けることは容易であるが針先が露出しているため針が手に刺さるなどまた、針先が固定されないため糸がゆるんだときに針が外れてしまうという難点があった。
また、ハリス切れなどのトラブルの際に対処するため、同じタイプの針をセットしたものを複数用意する場合や、フナの大きさの違いに対応するため、違うタイプの針をセットし複数用意する場合には、１セットごとに針の取り外しが容易にでき、針先が傷まず、ハリスがゆるんでも針が固定されている仕掛け巻きがなかった。
【課題を解決するための手段】
【０００２】上記課題を解決するため、縦長の板状の弾力性材料からなる仕掛け巻きの本体に、長辺に対して横断的に、板の表面に任意の形の断面の溝を任意箇所に任意数設け、溝の中に針先を入れて刺すことができるようにした。
【考案の効果】
【０００３】縦長の板状の弾力性材料からなる仕掛け巻きの本体に、長辺に対して横断的に、板の表面に任意の形の断面の溝を任意箇所に任意数設け、溝の中に針先を入れて刺すことにより、針先が手に刺さることがなく、針先を傷つけることがなく、釣り針の取り付け、取り外しが、容易にでき、糸がゆるんでも釣り針を固定した状態に保つことができるようにした。
また、本体の横幅を大きくすることにより、下針と上針の２つの釣り針をセットしたハリス付きの針を予備として複数を収納する場合に、１セットごとの釣り針の針先を傷つけることがなく、釣り針の取り付け、取り外しが容易にでき、ハリスがゆるんでも釣り針を固定した状態に保つことができるようにした。
【図面の簡単な説明】
【０００４】
【図１】本体の正面図である。
【図２】本体の側面図である。
【図３】本体の側面を接合してあわせた正面図である。
【符号の説明】
【０００５】１    本体
２    溝
【図１】
0003195553.tif 000003
【図２】
0003195553.tif 000004
【図３】
0003195553.tif 000005
(57)【要約】      （修正有）【課題】挿し木を効率よく発根活着させるための好適なしかも安価で、簡単な挿し木用保水培地セットを提供する。【解決手段】挿し木１の発根部分を覆う保水用ミズゴケ４とミズゴケを包み込むネット５よりなる。ミズゴケを包み込むネットがネットを挿し木に固定する紐とネットの周囲を巻く紐を備え、ネットと紐の素材が麻であることが好ましい。【選択図】図２
0003195558.tif 000002
【実用新案登録請求の範囲】
【請求項１】
挿し木の発根部分を覆うミズゴケとミズゴケを包み込むネットよりなる挿し木用の保水培地セット
【請求項２】
ミズゴケを包み込むネットがネットを挿し木に固定する紐とネットの周囲を巻く紐を備えたミズゴケを包み込むネットである請求項１の挿し木用保水培地セット
【請求項３】
ネットと紐の素材が麻であることを特徴とする請求項２の挿し木用の保水培地セット
【考案の詳細な説明】
【技術分野】
【０００１】本考案は植物苗木の挿し木用保水培地セットに関するものである。
【背景技術】
【０００２】植物の挿し木の方法に過去の文献や前例には抜本的な方法がなく、発根剤が使用されてきた。発根剤の使用に費用が掛かる上に歩留まりがあまり良くなかった。特に希少価値の植物や大事な種の増殖にはどうしても確実な方法が必要であった。
発根時に水の供給が最大の条件であるに関わらずに装置や薬剤に頼る傾向にあった。
【先行技術文献】
【特許文献】
【０００３】
【特許文献１】特開２００８−０６１６０２号公報
【特許文献２】特開平０９−０５６２８２号公報
【考案の概要】
【考案が解決しようとする課題】
【０００４】挿し木を効率よく発根活着させるための好適なしかも安価で、簡単な挿し木用保水培地セットを提供する事である。
【課題を解決するための手段】
【０００５】挿し木の発根部分を覆うミズゴケとミズゴケを包み込むネットよりなる挿し木用保水培地セットにしたことである。
更にミズゴケを包み込むネットがネットを挿し木に固定する紐とネットの周囲を巻く紐を備えたミズゴケを包み込むネットにしたことである。これにより挿し木をミズゴケ中にしっかり固定することができ、ネット上を紐で巻き、挿し木発根部にミズゴケを密着させることができて、効果的な発根状態が維持できることになる。
また環境負荷を減らすために、後日廃棄する必要もない麻素材のネットと紐からなる挿し木用の保水培地セットである。
【考案の効果】
【０００６】ミズゴケを使用することは発根後に根の成長に最も優しく隙間があり挿し木床の上に誘導し、活着を完了した後でも土に戻り環境に優しい材料である。発根剤も使用しなくても安全に発根、活着させる方法である。高い効率で発根するため費用も少なく植物の優良品種の増殖が簡単で苗生産に貢献できるものです。
【図面の簡単な説明】
【０００７】
【図１】本考案の挿し木用保水培地セットを鉢植した状態の図である
【図２】本考案の挿し木用保水培地セットの全体図である
【図３】本考案の挿し木用保水培地セットの縦断面図である
【図４】本考案の挿し木用培地セットの横断面図である
【考案を実施するための形態】
【０００８】  挿し木用保水培地セットは市販のミズゴケを直径４センチから５センチの球状に丸め、周りを麻のネットで覆う構成でできている。挿し木用培地セットは上部に麻紐を具備している。挿し木を挿した後は挿し木とセット上部の麻ひもで結び適度に締め付け結び固定する。さらに培地セットのミズゴケが十分密着するように上から締める。また予め挿し木部分に割りばし状の木片を挿し込んでおくこともできる。その場合は抜いた穴に挿し木を入れる。その場合も挿し木とミズゴケが十分密着するように上から締める。保水培地セットは挿し木の大きさ太さによってセットのサイズを変える。挿し木を行う挿し木床は鹿沼土または赤玉土、砂など充当した培地で作り、挿し木を入れた保水培地セットを水に浸しミズゴケに十分に水を吸わせてから挿し木床に埋める。挿し木を終った後に挿し木床と保水培地セットを馴染ませるためにじょうろうで水を掛ける。またその後も挿し木床が乾き過ぎないように水かけに気を配る。
【符号の説明】
【０００９】１  挿し木
２  挿し木箱
３  挿し木床
４  保水用ミズゴケ
５  ミズゴケを入った麻糸のネット袋
６  挿し木用保水培地セット
【図１】
0003195558.tif 000003
【図２】
0003195558.tif 000004
【図３】
0003195558.tif 000005
【図４】
0003195558.tif 000006
(57)【要約】      （修正有）【課題】剃り部ユニットに上下運動を加えることで軽い手動作でなめらかな肌なぞり移動を可能にし、かつ肌をたたく作用によって深ぞりやそり残しが減少するためなぞり回数も減少し、結果として所要時間の短縮等の効果を発揮する電動シェーバーを提供する。【解決手段】横運動基部１にアーム２を取り付け、前記横運動基部１の両端に弾力性を持ったスプリング７を山形に設置し、前記スプリング７の一方の先端は、シェーバー本体に固定されてその中心穴部を前記横運動基部１のアーム２が左右にピストン運動をする形式のアーム支柱に固着し、もう一方の先端部は前記アーム２にストッパーで固着し、アーム２と一体となって横運動をするものであり、前記アーム２の横運動を前記スプリング７が上下運動に変換し、シェーバーユニット台座５に上下運動を伝え、ユニット全体が横運動と同回数の上下運動をしながら髭をカットすることを特徴とする。【選択図】図２
0003195527.tif 000002
【実用新案登録請求の範囲】
【請求項１】
横運動基部にアームを取り付け、その両端には弾力性を持ったスプリングを山形に設置する。
山形のスプリングの片方の先端部は、シェーバー本体に固定されてその中心穴部を横運動のアームが左右にピストン運動をする形式のアーム支柱に固着し、一方の先端はアーム自体にストッパーで固着しアームと一体となって横運動をするものとする。
これにより、アームの横運動を山形スプリングが上下運動に変換し、シェーバーユニット台座に上下運動を伝え、ユニット全体が横運動と同回数の上下運動をしながら髭をカットすることを特徴とする電動シェーバー。
【考案の詳細な説明】
【技術分野】
【０００１】
本発明は、往復式電動シェーバーの動作に関するものである。
【背景技術】
【０００２】
既存の往復式シェーバーは、編み目に髭を挿入させ左右に往復する剃り刃でカットす  る構造となっている。
【０００３】
しかし、ひげが寝て編み目に入り込まなかったり、横の往復動作だけであり皮膚の表  面部分をなぞるだけのため深ぞりに至らず、このため、肌を指でつまみ上げて皮膚を伸  ばしその表面を数回なぞらなければならないこと、また、夕方にはひげが顔を出してき  て仕事によっては再度シェーバー使用の必要があること、更には、髭が編み目に引っか  かることから肌のなぞりにブレーキがかかる等様々な欠点があった。
【０００４】
この欠点の改善策として、左右往復運動に上下動を加えたシェーバーを考えて実験し  た。
第１図は、シェーバーユニット（剃り部）を取り外し上下動部品（アーム）を取り付  けた場合の真上から見た状況、第２図は、シェーバーユニット台座を載せて台座の下部  に上下動部品（アーム）を取り付け正面から見た状況図である。
【考案の概要】
【考案が解決しようとする課題】
【０００５】
左右往復運動だけでは編み目の厚さや堅さ、横長であること等が影響し深ぞりには限  界があること、剃り部を押しつけるために起きる寝た髭のそり残し等複数回の往復が必  要で、時間ロスが起きている点にある。
【課題を解決するための手段】
【０００６】
従来往復運動による髭のカット方法について、本発明は上下運動も加えることを特徴  とする。
【考案の効果】
【０００７】
本発明のシェーバーは肌に上下の振動が加わることから、髭が直角に編み目に入り込  み、軽いタッチで深ぞりができ、剃りムラが少なく肌を往復する回数も減少し、なめら  かな移動による肌に優しくかつ所要時間短縮といったシェービングが実現する利点があ  る。
【図面の簡単な説明】
【０００８】
【図１】図１は、シェーバーユニット（編み目部、カット刃部、台座）を取り外し、上  下振動部品を取り付けた場合の真上からの俯瞰図である。
【図２】図２は、シェーバーユニット台座を上下振動部に乗せ正面から見た図である。
【符号の説明】
【０００９】
１  既存〜カット刃連動往復伝達部(横運動基部と表示)
２  新規〜横運動プラス上下運動部(横運動アームと表示)
３  既存〜際ぞり連動往復伝達部(際ぞり伝達部と表示)
４  既存〜際ぞり部(際ぞり部と表示)
５  既存〜シェーバーユニット台座(ユニット台座と表示)
６  新規〜上下運動部（上下運動部と表示)
７  新規〜スプリング（スプリングと表示）
８  新規〜アーム支柱にスプリングを固定、支柱は本体に固定（本体に固定と表示）
９  新規〜アーム自体にスプリングを固定、支柱はアームと一体動作（アームに固定              と表示）
【図１】
0003195527.tif 000003
【図２】
0003195527.tif 000004
【手続補正書】
【提出日】平成26年10月27日(2014.10.27)
【手続補正１】
【補正対象書類名】実用新案登録請求の範囲
【補正対象項目名】全文
【補正方法】変更
【補正の内容】
【実用新案登録請求の範囲】
【請求項１】
横運動基部にアームを取り付け、
前記横運動基部の両端に弾力性を持ったスプリングを山形に設置し、
前記スプリングの一方の先端は、シェーバー本体に固定されてその中心穴部を前記横運動基部のアームが左右にピストン運動をする形式のアーム支柱に固着し、
もう一方の先端部は前記アームにストッパーで固着し、アームと一体となって横運動をするものであり、
前記アームの横運動を前記スプリングが上下運動に変換し、シェーバーユニット台座に上下運動を伝え、ユニット全体が横運動と同回数の上下運動をしながら髭をカットすることを特徴とする電動シェーバー。
【手続補正２】
【補正対象書類名】図面
【補正対象項目名】全図
【補正方法】変更
【補正の内容】
【図１】
0003195527.tif 000005
【図２】
0003195527.tif 000006
(57)【要約】      （修正有）【課題】火を使用せずに、素早く簡単に一人前の朝食・昼食とお湯を作成する電気ポット付電子レンジを提供する。【解決手段】電子レンジ３と電気ポット４を合体させ、同時に起動させるためのボタン２を前記電子レンジ３に配置したことを特徴とする。【選択図】図２
0003195525.tif 000002
【実用新案登録請求の範囲】
【請求項１】
電子レンジと電気ポットを合体させ、一つの電化製品とする。
【請求項２】
メニューを選択し、調理ボタンを押下する事により、電子レンジと電気ポットの制御を行い、食品の調理（加熱・解凍  等）とお湯を同時に作成する。
【考案の詳細な説明】
【考案の概要】
【考案が解決しようとする課題】
【０００１】一人世帯の割合が５０％を超えまた、高齢者の一人暮らしが増加傾向にあり、安全に火を使用せずに、１人前の朝食・昼食を作る。
【課題を解決するための手段】
【０００２】電子レンジの加熱機能と電気ポットの湯沸し機能を合体させ、メニューボタン１を選択し調理ボタン２押下する事により、電子レンジ３にて食品の調理（加熱・解凍  等）を行い、同時に電気ポット４にて食事に必要なお湯を作る。
又、電子レンジ  電気ポットを単独で使用できるようにする。
【考案の効果】
【０００３】１人前の食事と必要なお湯を素早く同時に作成し、また、火を使用しないため、火災の発生を防止できる。
【図面の簡単な説明】
【０００４】
【図１】メニューボタンと調理ボタンを表示した平面図である。
【図２】電子レンジと電気ポットを合体させた平面図である。
【符号の説明】
【０００５】１        メニューボタン
２        調理ボタン
３        電子レンジ
４        電気ポット
【図１】
0003195525.tif 000003
【図２】
0003195525.tif 000004
【手続補正書】
【提出日】平成26年10月28日(2014.10.28)
【手続補正１】
【補正対象書類名】実用新案登録請求の範囲
【補正対象項目名】全文
【補正方法】変更
【補正の内容】
【実用新案登録請求の範囲】
【請求項１】
電子レンジと電気ポットを同時に起動させるためのボタンを前記電子レンジに配置したことを特徴とする、電気ポット付電子レンジ。
【手続補正２】
【補正対象書類名】図面
【補正対象項目名】図１
【補正方法】変更
【補正の内容】
【図１】
0003195525.tif 000005
(57)【要約】      （修正有）【課題】被害者本人では、防ぐ事が難しい、電話を使用した特殊詐欺を防止するための受話器に取り付けるタイプの警報器を提供する。【解決手段】本装置に平常時の脈拍及び血圧数を登録しておく記憶部と、脈拍及び血圧数が一定数を一定時間超過すると、警報信号を警備会社や携帯電話に発信する発信部２とを備えた警報機１である。また、同じく脈拍及び血圧数が一定数を一定時間超過すると、警報音とともに音声で警告するスピーカー３とを備えたことを特徴とする。【選択図】図１
0003195524.tif 000002
【実用新案登録請求の範囲】
【請求項１】
本装置に、平常時の脈拍及び血圧数を登録しておき、一定数を一定時間超過すると、警報信号を、警備会社や携帯電話に発信する、受話器に取り付けるタイプの警報機。
【請求項２】
本装置に、平常時の脈拍及び血圧数を登録しておき、一定数を一定時間超過すると、内蔵するスピーカーから、警報音とともに音声で警告する、受話器に取り付けるタイプの警報機。
【考案の詳細な説明】
【技術分野】
【０００１】  本考案は、脈拍及び血圧計の機能を備えた警報機に関するものである。
【背景技術】
【０００２】  電話中に、急に脈拍及び血圧数が急に増加しても、外部に知らせる装置がなかった。
【考案の概要】
【考案が解決しようとする課題】
【０００３】  電話を使った、特殊詐欺による被害が、年々増加している。その様な不審な電話を受けている本人は、詐欺とは気が付かない場合が多い。現在、この様な特殊詐欺に対して、様々な対策が講じられているが、詐欺被害は年々増加している。
【課題を解決するための手段】
【０００４】  特殊詐欺の被害者は、詐欺の電話を受けている間は、平常時の精神状態ではないはずである。半ば、パニック状態の中で、冷静な判断ができずに、被害に遭っている。その様な時は、脈拍及び血圧数は、平常時より相当上がっているはずである。本装置は、それを検知して、第三者に知らせる事ができる。
【考案の効果】
【０００５】  上述の様に、被害者だけでは、詐欺被害を防ぐ事は難しいが、第三者が介入する事で、それが可能になるものである。
【図面の簡単な説明】
【０００６】
【図１】本考案の脈拍及び血圧数計測機能付き警報機の実施例を示す正面図である。
【考案を実施するための形態】
【０００７】  本装置に平常時の脈拍及び血圧数を、予め登録しておき、一定の数値を一定時間超えると、警告音や音声を発したり、警告信号を警備会社や携帯電話に発信する。それを電話の受話器に取り付けて、通話中に常時計測できる様にする。
【実施例】
【０００８】  以下、添付図面に従って一実施例を説明する。１は脈拍及び血圧計付き警報機本体、２は警報信号を発信する部分、３は警告音や音声を発するスピーカー、４は本体を取り付ける受話器。
【符号の説明】
【０００９】１  警報機本体
２  発信部分
３  スピーカー
４  受話器
【図１】
0003195524.tif 000003
【図２】
0003195524.tif 000004
【手続補正書】
【提出日】平成26年10月31日(2014.10.31)
【手続補正１】
【補正対象書類名】実用新案登録請求の範囲
【補正対象項目名】全文
【補正方法】変更
【補正の内容】
【実用新案登録請求の範囲】
【請求項１】
本装置に平常時の脈拍及び血圧数を登録しておく記憶部と、脈拍及び血圧数が一定数を一定時間超過すると、警報信号を警備会社や携帯電話に発信する発信部とを備えた警報機であって、受話器に取り付けるタイプの警報機。
【請求項２】
本装置に平常時の脈拍及び血圧数を登録しておく記憶部と、脈拍及び血圧数が一定数を一定時間超過すると、警報音とともに音声で警告するスピーカーとを備えた警報機であって、受話器に取り付けるタイプの警報機。
【手続補正２】
【補正対象書類名】明細書
【補正対象項目名】０００６
【補正方法】変更
【補正の内容】
【０００６】
【図１】  本考案の脈拍及び血圧数計測機能付き警報機の実施例を示す正面図である。
【図２】  本考案の脈拍及び血圧数計測機能付き警報機の実施例を示す側面図である。
(57)【要約】      （修正有）【課題】既設の浄化槽の放流口の配管内へ地上から簡単に取り付けることのできる逆流防止弁を提供する。【解決手段】先端に向かって外径が小さくなる傾斜面を持ち、後端に係止するフランジを持つ円筒状の本体１と、本体１内にＤ字状の開口部を有する傾斜板と、傾斜板に一端を搖動するように蝶番体で固定されたＤ字状の弁体２からなる。逆流防止弁本体を浄化槽の各規格の放流口配管の内側にはめ込める寸法にすることで、既設の浄化槽に取り付ける。【選択図】図１
0003195528.tif 000002
【実用新案登録請求の範囲】
【請求項１】
浄化槽の放流口配管の内側に取り付けることが可能で、浄化槽内に排水が逆流してこないようにする弁体をもつ逆流防止弁。
【考案の詳細な説明】
【技術分野】
【０００１】本考案は、浄化槽の放流口に設置される逆流防止弁に関するものである。
【背景技術】
【０００２】公共下水道の普及していない地域では、一般家庭の生活排水の処理に浄化槽を使用しており、処理された排水は消毒後に側溝や河川に放流される。台風や、急激な豪雨等により水位が上昇することで、雨水や河川の水が放流配管を通じて浄化槽内へと逆流し、生物反応槽内の担体の流出やマンホールが押し上げられることで地上への汚水の漏出等復旧が困難な状況になる。そこで、処理水の放流口に逆流防止弁を取り付けることで、逆流してくる汚水の侵入を防止する。
【先行技術文献】
【特許文献】
【０００３】
【特許文献１】実開平７−１７８９４号公報
【特許文献２】特開２００７−３０９０３０号公報
【考案が解決しようとする課題】
【０００４】しかしながら既設の浄化槽には逆流防止弁は取り付けられていないため、雨水や河川の水の逆流を防ぐことができない。また、浄化槽は埋設されているため逆流防止が可能な装置を後付する場合は費用が高くなってしまう。
特許文献１や特許文献２に記載されている逆流防止弁では浄化槽の設置後に取り付けることが容易ではない。
【０００５】本考案では、現在設置されている浄化槽の放流口に簡易的に取り付けることのできる逆流防止弁を提供することを目的とする。
【課題を解決するための手段】
【０００６】前記課題を解決するために本考案に係る逆流防止弁は、浄化槽の放流口の接続された配管の内側にはまる直径をもつ本体１と前記本体内に排水により押し開かれ、排水が逆流してきた場合は閉止することができる弁体２を備え、放流口側のマンホールから取り付けることができることを特徴とする。本体１は浄化槽の各規格に合うように種類をそろえる
【考案の効果】
【０００７】本考案に係る逆流防止弁によれば、既設の浄化槽に取り付けることで通常時の浄化槽による排水を阻害することなく、逆流してきた排水のみを閉止することができる効果がある。
【図面の簡単な説明】
【図１】本考案にかかる逆流防止弁の断面図
【図２】本考案にかかる逆流防止弁を浄化槽に取り付けた図
【符号の説明】１  本体
２  弁体
３  Ｏリング
４  浄化槽本体
５  流入口
６  放流口
【図１】
0003195528.tif 000003
【図２】
0003195528.tif 000004
【手続補正書】
【提出日】平成26年11月1日(2014.11.1)
【手続補正１】
【補正対象書類名】実用新案登録請求の範囲
【補正対象項目名】全文
【補正方法】変更
【補正の内容】
【実用新案登録請求の範囲】
【請求項１】
先端に向かって外径が小さくなる傾斜面を持ち、後端に係止するフランジを持つ円筒状の本体と、前記本体内にＤ字状の開口部を有する傾斜板と、前記傾斜板に一端を搖動するように蝶番体で固定されたＤ字状の弁体からなる、浄化槽用の逆流防止弁。
(57)【要約】      （修正有）【課題】内容物の漏れにより固まり開けにくくなった瓶など容器のフタを容易かつ安全に開けることができる開口用補助具を提供する。【解決手段】把持部と、八角形または三角形以上の多角形の形態の容器のフタと同じ多角形かつ装着するに適当な大きさの凹み１から形成された装着部とを備え、把持部は、木製、金属、紙、石、プラスチック材料からなる。装着部の凹み部分に容器のフタを入れ込み装着させ、回して開口する。【選択図】図１
0003195522.tif 000002
【実用新案登録請求の範囲】
【請求項１】
瓶など容器のフタ部分を覆いフタに装着させる人の手で掴みやすい形の木製、金属、紙、石、プラスチック材料等からなることを特徴とする容器のフタの開口用補助具。
【請求項２】
前記装着部は、八角形または三角形以上の多角形の形態の容器のフタと同じ多角形かつ装着するに適当な大きさの凹みを形成し、その凹み部分に容器のフタを入れ込み装着させ回し開口することを特徴とする請求項１記載の容器のフタの開口用補助具。
【請求項３】
前記装着部は、温度湿度の変化によって生じる凹み部分の拡大や変形、または繰り返し使用したのちの摩耗による凹み部分の拡大や変形が生じた場合でも不具合が生じないよう、あらかじめ開口用補助具と容器のフタとの装着部分には適当な空間を設ける構造にし、その空間部に容器のフタを押し込め固定することを特徴とする請求項１記載の容器のフタの開口用補助具。
【考案の詳細な説明】
【技術分野】
【０００１】  本考案は、たとえば、八角形または三角形以上の多角形の形態の瓶など容器のフタを、手動によるわずかな力で容易かつ安全に開けることができる容器のフタの開口用補助具に関するものである。
【背景技術】
【０００２】  従来、容器のフタの開口用補助具は多種市販されている。本考案の開口用補助具はフタの開口が容易かつ安全に行えるのみならず、装着したまま冷蔵庫などに収納保管することができる利便性を兼ね備えているものである。
【考案の概要】
【考案が解決しようとする課題】
【０００３】  瓶など容器のフタは、開封し使用したのち保管しておくと時間の経過とともに内容物の漏れにより固まり開けにくくなるため、開口にはかなりの力を要し容易ではないという問題がある。
本考案の目的は、瓶など容器のフタのかかる問題を解消して、容易かつ安全に開けることができる開口用補助具を提供するものである。
【課題を解決するための手段】
【０００４】  本考案の請求項１〜２は、人の手で掴みやすいカタチに形成した木製、金属、紙、石、プラスチック材料等からなり、瓶など容器のフタ部分を部分的または全て覆いフタに装着させる。装着部は、八角形または三角形以上の多角形の形態の容器のフタと同じ多角形かつ装着するに適当な大きさの凹みを形成し、その凹み部分に容器のフタを入れ込み装着させ回し開口することを特徴とする容器のフタの開口用補助具である。【０００５】  さらに、請求項３は、温度湿度の変化によって生じる凹み部分の拡大や変形、または繰り返し使用したのちの摩耗による凹み部分の拡大や変形が生じた場合でも不具合が生じないよう図２に示すように、あらかじめ装着部分には適当な空間を設ける構造にし、その空間部に容器のフタを押し込め固定することを特徴とする請求項１〜２記載の容器のフタの開口用補助具である。
【考案の効果】
【０００６】  開封し使用したのち時間の経過とともに内容物の漏れにより固まり開けにくくなった瓶など容器のフタを容易かつ安全に開けることができるようになり、さらに着脱の必要もなく、装着したまま冷蔵庫などにも収納保管することができる利便性を兼ね備えている開口用補助具となる。
【図面の簡単な説明】
【０００７】
【図１】開口用補助具を斜めから見た立体図である。
【図２】開口用補助具と瓶など容器のフタの装着部の断面図である。
【考案を実施するための形態】
【０００８】  以下、本考案を実施するための形態について説明する。
補助具の真ん中に瓶など容器のフタと同じ多角形かつ装着するに適当な大きさの凹みをつくり、その凹み部分にフタを入れ込み装着する。
本考案は、以上のような構造である。
【符号の説明】
【０００８】（１）凹み部分
１  本考案の開口用補助具
２  瓶など容器のフタ
３  瓶など容器本体
【図１】
0003195522.tif 000003
【図２】
0003195522.tif 000004
【手続補正書】
【提出日】平成26年11月6日(2014.11.6)
【手続補正１】
【補正対象書類名】実用新案登録請求の範囲
【補正対象項目名】全文
【補正方法】変更
【補正の内容】
【実用新案登録請求の範囲】
【請求項１】
把持部と、八角形または三角形以上の多角形の形態の容器のフタと同じ多角形かつ装着するに適当な大きさの凹みから形成された装着部とを備えた関口用補助具において、前記把持部は、木製、金属、紙、石、プラスチック材料からなり、前記装着部の凹み部分に容器のフタを入れ込み装着させ回し開口することを特徴とする容器のフタの開口用補助具。
【請求項２】
前記装着部は、温度湿度の変化によって生じる凹み部分の拡大や変形、または繰り返し使用したのちの摩耗による凹み部分の拡大や変形が生じた場合でも不具合が生じないよう、あらかじめ開口用補助具と容器のフタとの装着部分には空間部を設け、前記空間部に容器のフタを押し込め固定することを特徴とする請求項１記載の容器のフタの関口用補助具。
(57)【要約】      （修正有）【課題】長く険しい岩道でも多数の釣道具を一度で楽に運ぶことの出来る背負いバッグを提供する。【解決手段】背負いバッグ１背部の４箇所に釣り竿を収納できる袋の部分を有し、開閉することの出来るファスナー２を袋の部分に設けた。【選択図】図２
0003195512.tif 000002
【実用新案登録請求の範囲】
【請求項１】
背負いバッグ（１）に釣竿（３）をハスナー（２）でしっかり締めて、背負って運ぶことが一度で済む。
【考案の詳細な説明】
【技術分野】
【００１】この考案は、長い釣竿を各種持って岩山を歩くのに危険と不便であるので考案した背負いバッグである。
【背景技術】
【００２】従来は、多くの釣竿を長い危険な道を何度も運んでいて時間もかかった。
（特許文献１参照）
【先行技術文献】
【００３】
【特許文献】
【特許文献】  特開００００−００００００号会報
【考案の概要】
【考案が解決しようとする課題】
【００４】今迄は、多数の釣竿を岩道を何度となく運んでいた釣具、釣竿を一度で運べるようにする。
【課題を解決するための手段】
【００５】釣竿（３）をハスナー（２）で締めて、背負いバッグ（１）を背負い、釣具を一度で運び楽である。
【考案の効果】
【００６】釣竿を背負って運ぶことで両手に釣用具を運び、険しい岩道を一度で運ぶことが出来、時間も短縮され楽である。
【図面の簡単な説明】
【００７】
【図１】本考案の斜視図である。
【図２】本考案の背後からの装着図である。
【考案を実施するための形態】
【００８】本考案を実施するための形態について説明する。
釣竿（３）をハスナー（２）で締めて、背負いバッグ（１）を背負い、長い岩道を一度で運び楽で良い。
【符号の説明】
【００９】（１）背負いバッグ
（２）ハスナー
（３）釣竿
【図１】
0003195512.tif 000003
【図２】
0003195512.tif 000004
【手続補正書】
【提出日】平成26年7月30日(2014.7.30)
【手続補正１】
【補正対象書類名】実用新案登録請求の範囲
【補正対象項目名】全文
【補正方法】変更
【補正の内容】
【実用新案登録請求の範囲】
【請求項１】
背負いバック（１）の背部の４箇所に釣り竿（３）を収納できる袋の部分を有し開閉することの出来る袋の部分に可能なファスナー（２）を袋の部分に設けた、  釣竿背負いバック
【手続補正書】
【提出日】平成26年10月28日(2014.10.28)
【手続補正１】
【補正対象書類名】実用新案登録請求の範囲
【補正対象項目名】全文
【補正方法】変更
【補正の内容】
【実用新案登録請求の範囲】
【請求項１】
背負いバッグ（１）背部の４箇所に釣り竿（３）を収納できる袋の部分を有し、開閉することの出来るファスナー（２）を袋の部分に設けた、
釣竿背負いバッグ。
(57)【要約】      （修正有）【課題】鍼を刺さない鍼術治療器具でもあり、ツボや圧痛点を探知する目的でも使用される「てい鍼」と、刺鍼を助ける器具である「鍼管」のそれぞれの役割を兼ねそろえた一本の治療器具を提供する。【解決手段】内径が一定である筒状の鍼管の両端を球状にし、てい鍼と鍼管を一体化させた。全体の長さや、先端部の球の大きさは、使用する鍼の長さ及び触診部によって変化させるものとする。【選択図】図１
0003195518.tif 000002
【実用新案登録請求の範囲】
【請求項１】
鍼管の両端の形状をてい鍼のように球状としたことで、刺さない治療器具でもあり、ツボや圧痛点を探知する「てい鍼」の役目と、刺鍼の方向を定め、刺鍼の痛みを軽減させる「鍼管」の役目が一本に収まり、それぞれの役割を兼ね揃えていることを特徴とする。
【請求項２】
鍼管としての機能に着眼してみると、鍼管の先が球状になっていることにより、従来の筒状の鍼管よりも、広い面で肌に押し圧をかけることとなるため、患者の肌にソフトに接触できることを特徴とする。
【考案の詳細な説明】
【技術分野】
【０００１】本発明は、東洋医学の鍼術治療に用いられる鍼術器具に係るものである。
【背景技術】
【０００２】鍼を刺さない鍼術治療器具でもあり、ツボや圧痛点を探知する目的でも使用される「てい鍼」と、刺鍼を助ける器具である「鍼管」のそれぞれの役割を兼ねそろえた一本の治療器具を提供したい。
【考案の効果】
【０００３】（１）「てい鍼」と「鍼管」を一体化させたことで、鍼を刺さない治療と、鍼を刺す治療を一本の器具で行なうことが可能となった。
（２）「てい鍼」と「鍼管」を一体化させたことで、刺鍼の直前に治療点を正確にとらえることが可能となった。（３）鍼管の先が球状となったことで、患者の皮膚への押し圧の刺激を柔らかくすることが可能となった。
【図面の簡単な説明】
【図１】真横から見た図。円柱の筒の両端が球状となっている。
【図２】断面図。内部は、内径が一定の空洞となり、先端から先端まで貫かれている。
【図３】上部を少し手前に傾けて見た図。空洞は、球の先端中央部に開口している。
【図１】
0003195518.tif 000003
【図２】
0003195518.tif 000004
【図３】
0003195518.tif 000005
【手続補正書】
【提出日】平成26年11月5日(2014.11.5)
【手続補正１】
【補正対象書類名】実用新案登録請求の範囲
【補正対象項目名】全文
【補正方法】変更
【補正の内容】
【実用新案登録請求の範囲】
【請求項１】
鍼管の端の形状をてい鍼のように球状としたことを特徴とする治療器具。
(57)【要約】      （修正有）【課題】イヤホン先端部にスポイド状を一体化した簡易耳抜き補助具を提供する。【解決手段】イヤホン先端部１にスポイド状２を設ける。スポイド状２は空気量を調整できる蛇腹型又は涙型とする。イヤホン先端部１の材質は耳になじみやすく、密着しやすいシリコンなどで構成する。【選択図】図１
0003195550.tif 000002
【実用新案登録請求の範囲】
【請求項１】
イヤホン先端部にスポイド状を取りつけたことを特徴とする耳抜き補助具。
【請求項２】
前記スポイド部は、蛇腹型・涙型等をとりつけたことを特徴とする請求項１記載の補助具。
【考案の詳細な説明】
【技術分野】
【０００１】本考案は、イヤホン先端部にスポイド状を一体化した簡易耳抜き補助具に関して。
【背景技術】
【０００２】これまで、飛行機搭乗・高所等、耳抜きができず困難であった。
【考案の概要】
【考案が解決しようとする課題】
【０００３】しかしながら、これまで時間経過にまかせるなどの方法をとるといった欠点があった。
【課題を解決するための手段】
【０００４】以上の課題を解決するために、第一考案は、イヤホン状先端部にスポイド状（蛇腹型）を一体化した耳抜きである。
また、第二考案は、スポイド状（涙型等）を一体化した耳抜きである。【０００６】材質には、シリコン等耳に優しく密着しやすいものを使用し、スポイドにより空気量は加減することができる。
【考案の効果】
【０００７】第一考案、または第二考案によれば、耳抜き困難が容易にできる特徴がある簡易耳抜きになる。
【図面の簡単な説明】
【図１】この考案の実施形態を示す斜視図（蛇腹型）である。
【図２】この考案の実施形態を示す斜視図（涙型）である。
【考案を実施するための形態】
【０００８】この考案の実施形態を図１に示す。
イヤホン先端部１に蛇腹型スポイド２を一体型に設けられている。
この考案の実施形態を図２に示す。
イヤホン先端部１に涙型スポイド３を一体型に設けられている。
【実施形態の効果】
この実施形態によれば、イヤホン先端部にスポイド状を取りつけることで耳抜きを容易にできる。吸気量も加減ができる。また、スポイド状も蛇腹型・涙型等と取りつけを考慮できる。
この実施状態により、小さく携帯にも便利である。
【符号の説明】
【０００９】１  イヤホン先端部                    ２  スポイド状（蛇腹型）
３  スポイド状（涙型等）              ４  空気穴
【図１】
0003195550.tif 000003
【図２】
0003195550.tif 000004
(57)【要約】      （修正有）【課題】死者の法名や戒名などを記した位牌を利用したコンパクトな骨壺を仏壇内に設け、遺骨を収めた墓所の墓石との両方を、一度に仏壇と墓を拝むことができる位牌型骨壺を提供する。【解決手段】仏壇に載置する骨壺であって、位牌本体１の一部に取出口２を形成し、該取出口２には着脱自在の蓋部３を設け、該取出口２の内部には、収納室４を形成し、該収納室４内に、ステンレス等の堅牢な素材で構成した箱体５を設け、該箱体５に、遺骨Ｘの一部を入れ、該箱体５を密封して構成した。【選択図】図１
0003195544.tif 000002
【実用新案登録請求の範囲】
【請求項１】
仏壇に載置する骨壺であって、
位牌本体（１）の一部に取出口（２）を形成し、
該取出口（２）には着脱自在の蓋部（３）を設け、
該取出口（２）の内部には、収納室（４）を形成し、
該収納室（４）内に、ステンレス等の堅牢な素材で構成した箱体（５）を設け、
該箱体（５）に、遺骨（Ｘ）の一部を入れ、該箱体（５）を密封して構成した
ことを特徴とする位牌型骨壺。
【考案の詳細な説明】
【技術分野】
【０００１】
この考案は、位牌型骨壺に関するものである。
【背景技術】
【０００２】
従来より骨壺は、蔵骨器と呼ばれ、死者の遺骨を収めて墓所の墓石の下の唐柩（カロウト）に収納したり、あるいは寺院の納骨堂や納骨室に安置されるものである。
【０００３】
しかし、遺骨を収納した墓所は、大抵は遠く離れた山の傾斜地にあり、お参りに行くにも、階段や坂道が多く、高齢の老人にとっては墓参りに行きたくても歩行困難であり、自宅の仏壇に向かって拝むのが精一杯であった。
【０００４】
さらに、台風や集中豪雨等の自然災害によって、これらの墓所や寺院等の施設において遺骨の入った骨壺は墓石ごと流され遺骨も紛失してしまうことが多々あった。
【０００５】
これを防止するために、堅牢な骨壺に位牌収納部を設けて位牌を収めることで骨壺と位牌を一体化し、災害にあっても骨壺とその持ち主を特定できるよう、また、地震等の衝撃に対し強い耐久性を持つものは存在した。例えば、特許文献１のように。
【０００６】
一方、位牌は、死者の祭祀のため、死者の戒名などを記した木の板をいうが、江戸時代より仏壇の中に祀るようになっている。それに対して、位牌自体を小型仏壇として設け、該小型仏壇に扉を設けて内部に骨壺を収納したものも存在する。例えば、特許文献２のように。
【先行技術文献】
【特許文献】
【０００７】
【特許文献１】実用新案登録第３１３３１２９号公報
【特許文献２】特開２００４−１８７７６５号公報
【０００８】
さらには、墓を持たない人や墓はあるが遠方で墓参りに行けない人の一部には、ペンダントトップに遺骨の一部を入れて、常時、肌身離さず持ち歩く人もいる。そして自宅で故人の遺骨と一緒に過ごしたいとの要望があり、しかも、従来の味気ない分骨用の壺ではなく、手元供養や自宅納骨用としてガラス製、陶器製等の小型の骨壺が販売され、これに分骨して収納しているものも存在している。
【考案の概要】
【考案が解決しようとする課題】
【０００９】
そこで、この考案が解決しようとする課題は、死者の法名や戒名などを記した位牌を利用したコンパクトな骨壺を仏壇内に設け、遺骨を収めた墓所の墓石との両方を、一度に仏壇は墓を拝むことができる位牌型骨壺を開発・提供することにある。
【課題を解決するための手段】
【００１０】
この考案の位牌型骨壺は、
仏壇に載置する骨壺であって、
位牌本体の一部に取出口を形成し、
該取出口には着脱自在の蓋部を設け、
前記本体の内部には、収納室を形成し、
該収納室内に、ステンレス等の堅牢な素材で構成した箱体を設け、
該箱体に、遺骨の一部を入れ、該箱体を密封して構成した
ことを特徴とする。
【考案の効果】
【００１１】
この考案によると、位牌を利用したコンパクトな骨壺を仏壇内に設けることにより、位牌と骨壺とが一体に納まり、見た目には位牌であるが、本来は骨壺でもあり、見た目には従来通り仏壇の中に載置されても違和感がなく、また、仏壇内で他の仏具の邪魔にならず、即ち，位牌と骨壺が一体となっているため、場所を占有しない等の極めて有益なる効果を奏する。
【図面の簡単な説明】
【００１２】
【図１】この考案の一実施例を示す一部欠截正面図である。
【図２】この考案の一実施例を示す一部欠截側面図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
先ず、この考案の一実施例を図面に基づいて詳述すると、仏壇に載置する骨壺であって、位牌本体（１）の一部に取出口（２）を形成し、該取出口（２）には着脱自在の蓋部（３）を設け、該取出口（２）の内部には、収納室（４）を形成し、該収納室（４）内に、ステンレス等の堅牢な素材で構成した箱体（５）を設け、該箱体（５）に、遺骨（Ｘ）の一部を入れ、該箱体（５）を密封して構成したことを特徴とする位牌型骨壺から構成される。
【００１５】
尚、位牌本体（１）の構成の一例を詳述すると、骨壺を収納する本体部分は、横１０ｃｍ、縦１５ｃｍ、奥行８ｃｍであり、内部の収納室（４）は、直径６ｃｍであり、収納室（４）内には高さ１４ｃｍの箱体（５）が収納されるよう構成している。
【００１６】
そして、位牌本体（１）には、分離可能な２０ｃｍ程度の高さ寸法を有する框と呼ばれる脚部や、やはり分離可能な２０ｃｍ程度の頭部を設けられており、該頭部は、取出口（２）を覆っており、位牌本体（１）とは着脱可能に形成している。
【００１７】
また、当然、位牌本体（１）の正面には、札板（Ｙ）を設けており、該札板（Ｙ）に法名や戒名の文字を入れるものである。
【００１８】
尚、位牌本体（１）内に形成した収納部（４）は、円筒状を示したが、この形状に限定されることなく、内部に箱体（５）のみ、或いは箱体（５）と共に、故人にとって思い出深い小物の品を入れてもよい。
【産業上の利用可能性】
【００１９】
この考案の位牌型骨壺の技術を確立し、実施することにより、産業上利用できるものである。
【符号の説明】
【００２０】
１  位牌本体
２  取出口
３  蓋部
４  収納室
５  箱体
Ｘ  遺骨
Ｙ  札板
【図１】
0003195544.tif 000003
【図２】
0003195544.tif 000004
【手続補正書】
【提出日】平成26年11月12日(2014.11.12)
【手続補正１】
【補正対象書類名】実用新案登録請求の範囲
【補正対象項目名】全文
【補正方法】変更
【補正の内容】
【実用新案登録請求の範囲】
【請求項１】
仏壇に載置する骨壺であって、
位牌本体（１）の一部に取出口（２）を形成し、
該取出口（２）には着脱自在の蓋部（３）を設け、
該取出口（２）の内部には、収納室（４）を形成し、
該収納室（４）内に、箱体（５）を設け、
該箱体（５）に、遺骨（Ｘ）の一部を入れ、該箱体（５）を密封して構成した
ことを特徴とする位牌型骨壺。